(57)【特許請求の範囲】
【請求項１】
表示スクリーンと、電子発生用手段、多数の電極及び絶縁材料製の支持体を有する電子銃とを具え、前記電極には前記支持体に固着される接続素子を設けてある陰極線管において、前記電子銃が前後に配列される一対の電極を具え、これらの電極が電子ビームを横切る平面内に延在する接続素子を有し、これらの接続素子が各電極あたり１個づつ前記支持体に固着され、且つ前記電極対を成す一方の電極における、電子ビームを横切る方向に沿った接続素子の長さが、前記電極対の他方の電極における接続素子の長さとは相違するようにし、前記陰極線管が前記電極対に電圧を供給する手段を具えて、作動中に前記長さの最も長い接続素子を有している電極に供給される電圧が、前記長さの最も短い接続素子を有している電極に供給される電圧よりも低くなるようにしたことを特徴とする陰極線管。
【請求項２】
前記接続素子の長さの差が、支持体に沿う方向に見た前記接続素子間の離間距離よりも大きくなるようにしたことを特徴とする請求項１に記載の陰極線管。
【発明の詳細な説明】
【０００１】
【産業上の利用分野】
本発明は、表示スクリーンと、電子発生用手段、多数の電極及び絶縁材料製の支持体を有する電子銃とを具え、前記電極には前記支持体に固着される接続素子を設けてある陰極線管に関するものである。
陰極線管は特に、テレビジョン受信機、コンピュータのモニタ、オシロスコープ等に用いられる。
【０００２】
【従来の技術】
上述した種類の陰極線管は通常のタイプのものである。電子銃は電子を発生する手段、例えば陰極を具えている。電極には支持体に圧入する接続素子が設けられている。支持体は軟化させることができるガラス製とするのが普通である。電子銃の製造に当っては、この電子銃の各電極を互いに積み重ね、その後支持体（この支持体は１個以上用いることもある）を加熱する。このようにして支持体と接続素子とを相互接合することができる。これは通常支持体を接続素子に押し当てることにより達成される。支持体としてのガラスを加熱により軟化させるから、接続素子を支持体に圧入させることができる。接続素子は電極と一体構成とするか、又は別個の部品として電極に固着させることができる。冷却後に電極と支持体は互いに固着される。
【０００３】
陰極線管の動作中には電子銃の各電極に電圧が供給される。これらの電圧のために電極間には電気光学的なフィールドが形成される。発生電子は、こうした電界により加速され、且つ集束される。電気−光学フィールドの品質にはかなり高度な要求が課せられる。このために、電子銃の電極を増やし、これらの電極に供給する電圧値を高めている。
【０００４】
【発明が解決しようとする課題】
電子銃の電極への供給電圧を高くすると、これらの電極そのものが時々電子を発生し得るようになるという問題が生じる。こうした電子は電極間をホップ（飛び移る）したりする。このために陰極線管を傷つけて、故障させることがある。斯様な電子は表示スクリーンに当って、表示画像のコントラストに悪影響を及ぼすこともある。こうした現象は特に、高電圧が電極に供給される個所にて生じる。
【０００５】
本発明の目的は上述したような問題点を１つ以上減らすべく適切に構成配置した冒頭にて述べた種類の陰極線管を提供することにある。
【０００６】
【課題を解決するための手段】
本発明による陰極線管は、前記電子銃が前後に配列される一対の電極を具え、これらの電極が電子ビームを横切る平面内に延在する接続素子を有し、これらの接続素子が各電極あたり１個づつ前記支持体に固着され、且つ前記電極対を成す一方の電極における、電子ビームを横切る方向に沿った接続素子の長さが、前記電極対の他方の電極における接続素子の長さとは相違するようにし、前記陰極線管が前記電極対に電圧を供給する手段を具えて、作動中に前記長さの最も長い接続素子を有している電極に供給される電圧が、前記長さの最も短い接続素子を有している電極に供給される電圧よりも低くなるようにしたことを特徴とする。
【０００７】
２つの電極間における電子のホッピングは、電子ビームを横切る方向に沿った接続素子の長さ（以後、接続素子の幅とも称する）を変えることにより低減させることができる。周知の電子銃では、連続する電極の接続素子の幅が等しくなっている。
【０００８】
本発明は、電子が或る電極から接続素子を経て最も近い電極に容易にホップし得ると共に支持体を経て近くの電極の接続素子にホップし、この過程にて接続素子の縁部が主電子源を成すという識見に基づいて成したものである。接続素子の幅を変えることにより、接続素子の縁部と隣りの電極との間の支持体を経る最短距離を増大させる。
【０００９】
本発明の好適例では、前記陰極線管が前記電極対に電圧を供給する手段を具え、且つ作動中に最も幅広の接続素子を有している電極に供給される電圧が、幅の最も狭い接続素子を有している電極に供給される電圧よりも低くなるようにする。このようにすれば特に電子のホッピングが低減する。
【００１０】
【実施例】
以下図面を参照して本発明を実施例につき説明するに、これらの図は概略的に示したものであり、同様な部分には同じ参照番号を附して示してある。
図１は陰極線管１の部分的透視図である。この陰極線管１は表示窓３、コーン４及びネック５を有する排気容器２を具えている。ネック２内には、本例では３つの電子ビーム７，８及び９を発生する電子銃６が設けられている。表示窓３の内側には、本例では赤、緑及び青に発光するけい光素子から成る発光表示スクリーン１０が位置する。電子ビーム７，８及び９はスクリーン１０に到達する途中で、ネック５とコーン４との間の接合部に設けた偏向ユニット１１によりスクリーン１０を横切る方向に偏向されて、多数の小孔１３を有している薄い平板から成るシャドウマスク１２を通過する。電子ビーム７，８及び９は互いに小角度を成して小孔１３を通過し、各電子ビームは或る色のけい光素子の上にだけ衝突する。図１には電子銃６の電極に電圧を供給する手段１４もブロックにて示してある。
【００１１】
図２は電子銃６の概略的な部分的透視図である。電子銃６は共通制御電極２１を具えており、これはＧ1 電極とも称され、この電極内には３つの陰極２２，２３及び２４が固着されている。Ｇ1 電極２１は接続素子２５によって支持体２６に固着される。この支持体２６はガラス製である。例えば、このような支持体は通常「ビードロッド」と称されるものである。本例の電子銃６はＧ2 電極とも称される共通のプレート状電極２７も具えており、この電極は接続素子２８によって支持体２６に固着される。なお、本例の電子銃６は２つの支持体２６を具えており、その一方を図示してあるが、他方はこの透視図では見ることができない電子銃６の反対側に存在する。電子銃６はさらに、接続素子３０及び３２によって同じく支持体２６にそれぞれ固着される共通電極２９及び３１も具えている。本例の支持体２６はブラケット３４によりフィード−スルーピン３５に固着されている。これらのフィード−スルーピンと各電極との間の電気的結線は図示してない。
【００１２】
図３Ａ及び図３Ｂは電子銃６の一部を詳細に示した側面図である。電極３６及び３７は接続素子３８及び３９により支持体２６に固着される。これらの接続素子３８及び３９を図３Ｂにも拡大して示してある。接続素子３９の幅は接続素子３８の幅よりも大きくし、例えば接続素子３９の幅は８mmとし、接続素子３８の幅は５mmとする。電極３６と３７との間の離間距離は約1.5 mmとする。本例では、動作中に電極３７に供給される電圧を電極３６に供給される電圧よりも低くする。このために電極間に電界が発生する。この電界により電極３７から電極３６に電子がホップする（飛び移る）ことがある。このように電子が支持体２６を経てホップする現象は特に電極３７の接続素子３９の縁部にて生じる。本発明による陰極線管では、この接続素子３９の縁部から隣の電極３６に至る距離が電極３７と３６との間の離間距離よりも大きくなるようにする。本例では、接続素子３９の縁部と支持体２６を経る電極３６との間の最短距離が2.1 mmとなり、これは電極間の離間距離（1.5 mm）よりも大きい。従って、電子がホップする恐れが低減する。
【００１３】
図４は本発明による陰極線管用電子銃の他の例を示し、この電子銃は４個積み重ねた電極４１，４２，４３及び４４を具えており、これらの電極は接続素子４１Ａ，４２Ａ，４３Ａ及び４４Ａをそれぞれ具えている。動作時には各電極に電圧Ｖ１及びＶ２（Ｖ１＜Ｖ２）がそれぞれ供給され、電圧Ｖ１は電極４１と４３に供給され、電圧Ｖ２は電極４２と４４に供給される。接続素子４１Ａ及び４３Ａの幅は接続素子４２Ａ及び４４Ａの幅よりも大きくする。本例では、接続素子４１Ａ及び４３Ａの幅を８mmとし、接続素子４２Ａ及び４４Ａの幅を５mmとする。これら接続素子の幅の差は電子ビームに沿う方向に見た接続素子間の離間距離よりも大きくするのが好適である。
【００１４】
本発明による陰極線管では、接続素子間に起りがちな電子ホッピングが実質上低減するか、又はなくなるため、電子銃の損傷や、コントラストの低減が起こらなくなるか、又はかなり減少する。他の利点は電子銃のスパーキングが増強されることにある。電子銃の通常の製造過程では電極をスパークさせる。このために電極間に極めて高い電圧差が発生する。これにより電極間にフラッシオーバが発生する。このために電極からばり（burr) 及びルーズ粒子が離れる。スパーキング中の接続素子間のフラッシオーバは２つの悪影響を及ぼす。先ずは、電極間のフラッシオーバが全く又は殆ど起らなくなり、第２にはルーズ粒子が形成されることにある。本発明による陰極線管では、接続素子間にフラッシオーバが生じる恐れが低減する。
本発明は上述した例のみに限定されるものでなく、幾多の変更を加え得ること勿論である。
【図面の簡単な説明】
【図１】陰極線管の部分的透視図である。
【図２】電子銃の部分的透視図である。
【図３】電子銃の一部を詳細に示す側面図である。
【図４】電子銃の他の例の一部を詳細に示す断面図である。
【符号の説明】
１  陰極線管
２  排気容器
３  表示窓
４  コーン
５  ネック
６  電子銃
10  発光スクリーン
12  シャドウマスク
14  電圧供給手段
21，27，29, 31  共通電極
22，23，24  陰極
25，28，30，32  接続素子
26  支持体
34  ブラケット
35  フィード・スルーピン
36, 37，41, 42, 43, 44  電極
38，39，41A 〜44A   接続素子
【図１】
0003735385.tif 000002
【図２】
0003735385.tif 000003
【図３】
0003735385.tif 000004
【図４】
0003735385.tif 000005